(57)【要約】【課題】断熱材の充填量を減らすことなく、視覚的に厚みが薄く見える冷蔵庫の開閉扉を得ることを目的とする。【解決手段】外材１２の背面１２ｂの幅寸法を内材１１の幅寸法と同一にして、外材１２の前面１２ａの幅寸法を内材１１の幅寸法より大きくする。この際、外材１２の前面１２ａから中間奥行部１２ｃまでの幅寸法を同一にして、その中間奥行部１２ｃから背面１２ｂまでの幅寸法を単調に減少させる。これにより、見かけ上の厚みが外材１２の前面１２ａから中間奥行部１２ｃに至るまでの部位に限定される。【選択図】        図１
2004245528.tif 000002
【特許請求の範囲】
【請求項１】
冷蔵庫本体の前面開口部と密着して、その前面開口部を覆う断熱材入りの内材と、上記内材の前面に取り付けられる断熱材入りの外材とを備えた冷蔵庫の開閉扉において、上記外材の一部又は全部の幅寸法が上記内材の幅寸法より大きいことを特徴とする冷蔵庫の開閉扉。
【請求項２】
外材の背面の幅寸法は内材の幅寸法と同一であって、上記外材の前面の幅寸法が上記内材の幅寸法より大きいことを特徴とする請求項１記載の冷蔵庫の開閉扉。
【請求項３】
外材の前面から中間奥行部までの幅寸法が同一であって、その中間奥行部から背面までの幅寸法が単調に減少することを特徴とする請求項２記載の冷蔵庫の開閉扉。
【請求項４】
外材の背面の幅寸法は内材の幅寸法と同一であって、上記外材の中間奥行部の幅寸法が上記内材の幅寸法より大きいことを特徴とする請求項１記載の冷蔵庫の開閉扉。
【請求項５】
外材の前面から中間奥行部までの配色と、その中間奥行部から背面までの配色とが異なることを特徴とする請求項３または請求項４記載の冷蔵庫の開閉扉。
【請求項６】
外材の中間奥行部から背面までの配色と、内材及び冷蔵庫本体の配色とが同一であることを特徴とする請求項５記載の冷蔵庫の開閉扉。
【請求項７】
外材の前面から中間奥行部までの材質と、その中間奥行部から背面までの材質とが異なることを特徴とする請求項３または請求項４記載の冷蔵庫の開閉扉。
【請求項８】
外材の中間奥行部から背面までの材質と、内材及び冷蔵庫本体の材質とが同一であることを特徴とする請求項７記載の冷蔵庫の開閉扉。
【請求項９】
冷蔵庫本体の前面開口部と密着して、その前面開口部を覆う断熱材入りの内材と、上記内材の前面に取り付けられる断熱材入りの外材とを備えた冷蔵庫の開閉扉において、上記外材の配色と上記内材の配色とが異なることを特徴とする冷蔵庫の開閉扉。
【請求項１０】
冷蔵庫本体の前面開口部と密着して、その前面開口部を覆う断熱材入りの内材と、上記内材の前面に取り付けられる断熱材入りの外材とを備えた冷蔵庫の開閉扉において、上記外材の材質と上記内材の材質とが異なることを特徴とする冷蔵庫の開閉扉。
【発明の詳細な説明】
【０００１】
【発明の属する技術分野】
この発明は、視覚的に厚みが薄く見える冷蔵庫の開閉扉に関するものである。
【０００２】
【従来の技術】
従来の冷蔵庫の開閉扉は、内板と外板から構成され、その内板と外板の間に断熱材が充填されている（以下の特許文献１を参照）。
【０００３】
【特許文献１】
特開２００２−１３８６７公報（第４頁から第７頁、図２）
【０００４】
【発明が解決しようとする課題】
従来の冷蔵庫の開閉扉は以上のように構成されているので、冷蔵庫の断熱効果を高めるには断熱材の充填量を増やす必要がある。しかし、断熱材の充填量を増やすと扉の厚み（奥行寸法）が厚くなるため、視覚的に扉が重く見えてしまうなどの課題があった。
【０００５】
この発明は上記のような課題を解決するためになされたもので、断熱材の充填量を減らすことなく、視覚的に厚みが薄く見える冷蔵庫の開閉扉を得ることを目的とする。
【０００６】
【課題を解決するための手段】
この発明に係る冷蔵庫の開閉扉は、外材の一部又は全部の幅寸法が内材の幅寸法より大きくしたものである。
【０００７】
【発明の実施の形態】
以下、この発明の実施の一形態を説明する。
実施の形態１．
図１はこの発明の実施の形態１による冷蔵庫の開閉扉を示す斜視図であり、図２はこの発明の実施の形態１による冷蔵庫の開閉扉を示す上面平面図である。図において、開閉扉３は冷蔵庫本体１の前面開口部に取り付けられているゴムパッキン２と密着して、その前面開口部を覆う断熱材入りの内材１１と、その内材１１の前面に取り付けられる断熱材入りの外材１２とから構成されている。
図２の例では、外材１２の背面１２ｂの幅寸法は内材１１の幅寸法と同一であるが、外材１２の前面１２ａの幅寸法が内材１１の幅寸法より大きくなっている。また、外材１２の前面１２ａから中間奥行部１２ｃまでの幅寸法が同一であるが、その中間奥行部１２ｃから背面１２ｂまでの幅寸法が単調に減少している。
【０００８】
次に動作について説明する。
開閉扉３は内材１１と外材１２とから構成されているので、開閉扉３の実際の厚み（奥行寸法）は、外材１２の前面１２ａから内材１１の背面（ゴムパッキン２との密着面）に至るまでの部位である。
しかし、図２のように、外材１２の前面１２ａから中間奥行部１２ｃまでの幅寸法を同一にして、その中間奥行部１２ｃから背面１２ｂまでの幅寸法を単調に減少させると、例えば、ユーザが前方斜め方向から冷蔵庫を見た場合、目の錯覚により開閉扉３の厚み（奥行寸法）が外材１２の前面１２ａから中間奥行部１２ｃに至るまでの部位に限定される。
【０００９】
よって、断熱材の充填量を増やすために、開閉扉３の実際の厚みを厚くしても、見かけ上の厚みが外材１２の前面１２ａから中間奥行部１２ｃに至るまでの部位に限定され、視覚的に厚みが薄く見える冷蔵庫の開閉扉３を得ることができる効果を奏する。
【００１０】
なお、この実施の形態１では、外材１２の前面１２ａから中間奥行部１２ｃまでの幅寸法を同一にして、その中間奥行部１２ｃから背面１２ｂまでの幅寸法を単調に減少させるものについて示したが、図３に示すように、中間奥行部１２ｃから背面１２ｂまでの幅寸法を同一にしてもよく、同様の効果を奏することができる。
また、見かけ上の厚みは多少厚くなるが、製造の容易化等を図るため、外材１２の背面１２ｂも前面１２ａと同じ幅寸法にしてもよい。即ち、外材１２の全部の幅寸法を内材１１の幅寸法より大きくしてもよい。
また、この実施の形態１では、開閉扉３の左右が対称であるものについて示したが、開閉扉３の左右が必ずしも対称である必要はなく、例えば、図４のように、開閉扉３の右側だけを上記と同様に構成してもよい。
【００１１】
実施の形態２．
上記実施の形態１では、外材１２の前面１２ａから中間奥行部１２ｃまでの幅寸法を同一にして、その中間奥行部１２ｃから背面１２ｂまでの幅寸法を単調に減少させるものについて示したが、例えば、図５に示すように、外材１２の側面を曲面形状にすることにより、外材１２の背面１２ｂの幅寸法を内材１１の幅寸法と同一にして、外材１２の中間奥行部１２ｃの幅寸法を内材１１の幅寸法より大きくしてもよい。
この場合も、見かけ上の厚みが外材１２の前面１２ａから中間奥行部１２ｃに至るまでの部位に限定されるため、上記実施の形態１と同様に、視覚的に厚みが薄く見える冷蔵庫の開閉扉３を得ることができる効果を奏する。
【００１２】
実施の形態３．
上記実施の形態１，２では、外材１２や内材１１の配色については特に言及していないが、外材１２の前面１２ａから中間奥行部１２ｃまでの配色と、その中間奥行部１２ｃから背面１２ｂまでの配色とが異なるようにしてもよい。
この場合、上記実施の形態１，２よりも、目の錯覚効果が強くなり、更に確実に、ユーザは外材１２の前面１２ａから中間奥行部１２ｃに至るまでの部位が開閉扉３の厚みであるように感じるようになる。
【００１３】
具体的には、中間奥行部１２ｃから背面１２ｂまでの配色をグレーなどの濃い色にして、外材１２の前面１２ａから中間奥行部１２ｃまでの配色をホワイトなどの明るい色にすると、開閉扉３の重みが軽く感じられるようになる。
この際、内材１１と冷蔵庫本体１の配色も、中間奥行部１２ｃから背面１２ｂまでの配色と同じグレーにすると、中間奥行部１２ｃから背面１２ｂに至る部位と内材１１が冷蔵庫本体１と一体化しているように感じられるため、更に確実に、ユーザは外材１２の前面１２ａから中間奥行部１２ｃに至るまでの部位が開閉扉３の厚みであるように感じるようになる。
【００１４】
実施の形態４．
上記実施の形態１，２では、外材１２や内材１１の材質については特に言及していないが、外材１２の前面１２ａから中間奥行部１２ｃまでの材質と、その中間奥行部１２ｃから背面１２ｂまでの材質とが異なるようにしてもよい。
具体的には、中間奥行部１２ｃから背面１２ｂまでの材質を鉄板などにして、外材１２の前面１２ａから中間奥行部１２ｃまでの材質をプラスティックなどにする。
この場合、ユーザは材質の違いに伴う質感の相違を感じるため、上記実施の形態１，２よりも、目の錯覚効果が強くなり、更に確実に、ユーザは外材１２の前面１２ａから中間奥行部１２ｃに至るまでの部位が開閉扉３の厚みであるように感じるようになる。
【００１５】
この際、内材１１と冷蔵庫本体１の材質も、中間奥行部１２ｃから背面１２ｂまでの材質と同じにすると、中間奥行部１２ｃから背面１２ｂに至る部位と内材１１が冷蔵庫本体１と一体化しているように感じられるため、更に確実に、ユーザは外材１２の前面１２ａから中間奥行部１２ｃに至るまでの部位が開閉扉３の厚みであるように感じるようになる。
【００１６】
実施の形態５．
上記実施の形態１では、外材１２の背面１２ｂの幅寸法を内材１１の幅寸法と同一にして、外材１２の前面１２ａの幅寸法を内材１１の幅寸法より大きくするものについて示したが、図６に示すように、外材１２の前面１２ａの幅寸法も内材１１の幅寸法と同一にして、外材１２の配色と内材１１の配色が異なるようにしてもよい。
この場合、外材１２と内材１１が別部材であると感じられるため、見かけ上外材１２の厚みのみが開閉扉３の厚みであるように感じられる。この際、内材１１の配色と冷蔵庫本体１の配色を同じにすれば、内材１１と冷蔵庫本体１の一体感が生まれるため、更に、目の錯覚効果を強めることができる。
この実施の形態５の場合、上記実施の形態１〜４と比べて、見かけ上の厚みが多少厚くなるが、外材１２の幅寸法を内材１１の幅寸法と同じにすることができるため、設置スペースに余裕がない場所にも冷蔵庫を据え付けることができるようになる。
【００１７】
実施の形態６．
上記実施の形態１では、外材１２の背面１２ｂの幅寸法を内材１１の幅寸法と同一にして、外材１２の前面１２ａの幅寸法を内材１１の幅寸法より大きくするものについて示したが、図６に示すように、外材１２の前面１２ａの幅寸法も内材１１の幅寸法と同一にして、外材１２の材質と内材１１の材質が異なるようにしてもよい。
この場合、外材１２と内材１１が別部材であると感じられるため、見かけ上外材１２の厚みのみが開閉扉３の厚みであるように感じられる。この際、内材１１の材質と冷蔵庫本体１の材質を同じにすれば、内材１１と冷蔵庫本体１の一体感が生まれるため、更に、目の錯覚効果を強めることができる。
この実施の形態６の場合、上記実施の形態１〜４と比べて、見かけ上の厚みが多少厚くなるが、外材１２の幅寸法を内材１１の幅寸法と同じにすることができるため、設置スペースに余裕がない場所にも冷蔵庫を据え付けることができるようになる。
【００１８】
【発明の効果】
以上のように、この発明によれば、外材の一部又は全部の幅寸法が内材の幅寸法より大きくなるように構成したので、視覚的に厚みが薄く見える冷蔵庫の開閉扉を得ることができる効果がある。
【図面の簡単な説明】
【図１】この発明の実施の形態１による冷蔵庫の開閉扉を示す斜視図である。
【図２】この発明の実施の形態１による冷蔵庫の開閉扉を示す上面平面図である。
【図３】この発明の実施の形態１による他の冷蔵庫の開閉扉を示す上面平面図である。
【図４】この発明の実施の形態１による他の冷蔵庫の開閉扉を示す上面平面図である。
【図５】この発明の実施の形態２による冷蔵庫の開閉扉を示す上面平面図である。
【図６】この発明の実施の形態５，６による冷蔵庫の開閉扉を示す上面平面図である。
【符号の説明】
１  冷蔵庫本体、２  ゴムパッキン、３  開閉扉、１１  内材、１２  外材、１２ａ  前面、１２ｂ  背面、１２ｃ  中間奥行部。
【図１】
2004245528.tif 000003
【図２】
2004245528.tif 000004
【図３】
2004245528.tif 000005
【図４】
2004245528.tif 000006
【図５】
2004245528.tif 000007
【図６】
2004245528.tif 000008